(57)【要約】【課題】３本の電線が縦に配線された箇所へ鳥害防止具を取り付ける場合であっても、作業員が斜め下から取り付け作業することで、作業性と安全性に優れる鳥害防止具を提供する。【解決手段】電線に取り付けられる電線取付部と、該電線取付部に突設された離隔部とを備え、電線取付部を介して電線の長手方向に沿って間隔をあけて複数取り付けられると共に、各々の離隔部の間に電線と略平行にワイヤーを架設して鳥の飛来を防ぐ鳥害防止具であって、電線取付部は、電線の一側部を保持する受け部と、この受け部と電線を介して対向する位置から電線の他側部を押圧保持する締付部と、回動操作によって締付部を上下操作させる為のナット部を備えており、前記ナットは、前記離隔部を基準に、作業者手前側に傾斜して設けられている。【選択図】図３
2020058210.tif 000002
【特許請求の範囲】
【請求項１】
電線に取り付けられる電線取付部と、該電線取付部に突設された離隔部とを備え、電線取付部を介して電線の長手方向に沿って間隔をあけて複数取り付けられると共に、各々の離隔部の間に電線と略平行にワイヤーを架設して鳥の飛来を防ぐ鳥害防止具であって、電線取付部は、電線の一側部を保持する受け部と、この受け部と電線を介して対向する位置から電線の他側部を押圧保持する締付部と、回動操作によって締付部を上下操作させる為のナット部を備えており、前記ナットは、前記離隔部を基準に、作業者手前側に傾斜して設けられていることを特徴とする鳥害防止具。
【請求項２】
前記鳥害防止具において、前記離隔部は、前記電線取付部から起立する離隔部と、離隔部に取り付けるワイヤー保持部と、このワイヤー保持部に取り付けるワイヤーとを備えており、前記離隔部は、作業者手前側に形成された第一照準器と、作業者奥側に形成された第二照準器が備えられており、第一照準器は第二照準器より低い位置に設けられていることを特徴とする請求項１記載の鳥害防止具。
【請求項３】
前記第二照準器には貫通孔が設けられていることを特徴とする請求項２記載の鳥害防止具。
【請求項４】
前記貫通孔は、前記第一照準器と略同一な形状であることを特徴とする請求項３記載の鳥害防止具。
【請求項５】
前記貫通孔は、スリット状もしくは段付き形状の目盛り機能を設けたことを特徴とする請求項３記載の鳥害防止具。
【発明の詳細な説明】
【技術分野】
【０００１】  本発明は、電線に取り付けることで鳥の飛来や営巣を防ぐ鳥害防止具に関する。
【背景技術】
【０００２】ハトやカラス等の人間の生活圏に共生した鳥が電線に留まることによって、フンや鳴声による被害が近隣住民に及ぼされていた。また、深刻なケースではフンの付着、あるいは鳥の嘴や足爪によって電線表面を損傷させ、さらには関連機器の故障を引き起こす場合もあった。そこで、特許文献１には、電柱間に架設した電線に沿って複数取り付けられ、各鳥害防止具の間に細いワイヤーを電線とほぼ平行に取り付けることで電線上への鳥の立ち止まりを防止する鳥害防止具が開示されている。
【先行技術】
【特許文献】
【特許文献１】特開２００９−３９０５５
【発明の概要】
【発明が解決しようとする課題】
【０００３】しかし、上記特許文献１の鳥害防止具は、以下のような問題があった。
鳥害防止具の取り付けは、ナット部を間接活線工具を用いて回動させる事で、鳥害防止具の締め付け部を電線に押圧して行うが、通常、間接活線工具２１は鳥害防止具のナット部に勘合するソケットを有し、ソケット部を長手方向に延長した持ち手部が設けられている為、３本の電線１８、１９、２０が垂直に並ぶ配線の上段線１８や中段線１９へ取り付ける場合においては、間接活線工具の持ち手部分が真下の線に接触し、感電する恐れがあった。（図６）【０００４】本発明は上記課題に鑑みてなされたものであり、鳥害防止具を斜め下から取り付け出来るとともに、離隔部の角度調整を照準器で行う事で、作業性と安全性に優れる鳥害防止具を提供する。
【課題を解決するための手段】
【０００５】請求項１記載の鳥害防止具は、電線に取り付けられる電線取付部と、該電線取付部に突設された離隔部とを備え、電線取付部を介して電線の長手方向に沿って間隔をあけて複数取り付けられると共に、各々の離隔部の間に電線と略平行にワイヤーを架設して鳥の飛来を防ぐ鳥害防止具であって、電線取付部は、電線の一側部を保持する受け部と、該受け部と電線を介して対向する位置から電線の他側部を押圧保持する締付部と、回動操作によって締付部を上下操作させる為のナット部を備えており、前記ナットは、前記離隔部を基準に、作業者手前側に傾斜して設けられていることを特徴とする。【０００６】請求項２記載の鳥害防止具は、前記鳥害防止具において、前記離隔部は、前記電線取付部から起立して設けられており、離隔部に取り付けるワイヤー保持部と、該ワイヤー保持部に取り付けるワイヤーとを備えており、前記離隔部は、作業者手前側に形成された第一照準器と、作業者奥側に形成された第二照準器が備えられており、
第一照準器は第二照準器より低い位置に設けられていることを特徴とする。【０００７】請求項３記載の鳥害防止具は、前記第二照準器には貫通孔が設けられていることを特徴とする。【０００８】請求項４記載の鳥害防止具は、請求項３に記載の貫通孔は、前記第一照準器と略同一な形状であることを特徴とする。【０００９】請求項５記載の鳥害防止具は、貫通孔は、スリット状もしくは段付き形状の目盛り機能を設けたことを特徴とする。
【発明の効果】
【００１０】請求項１記載の発明によれば、ナット部は、離隔部を基準に、作業者手前側に傾斜して設けられているので、間接活線工具を用いて当該鳥害防止具の取り付けを行う際に、間接活線工具が電線に触れることなく、作業者が安全に作業をすることができる。【００１１】請求項２記載の発明によれば、離隔部は、作業者手前側に形成された第一照準器と、作業者奥側に形成された第二照準器が備えられており、第一照準器は第二照準器より低い位置に設けられており、作業者は２つの形状を視覚的に重ね合わせることにより、斜め下からの取り付けであっても離隔部を垂直に立てることができる。【００１２】請求項３記載の発明によれば、前記第二照準器には貫通孔が設けられているので、逆光で２つの照準器が見え辛い状態であっても、照準器の重なり具合を、光の漏れ具合で確認する事が出来るため、離隔部を垂直に立てることができる。【００１３】請求項４記載の発明によれば、貫通孔は、前記第一照準器と略同一な形状とすることで、隙間から漏れる光の形状を確認しながら取り付けを行う事が可能となるので、ナット軸の回動方向のズレを確認する事が出来る。【００１４】請求項５記載の発明によれば、貫通孔は、目盛り機能を有したことで、バケット車作業台内の作業者の位置や、作業者の伸長の違いによる取付作業のバラツキを抑制し、複数の鳥害防止具を同じ角度で取り付ける事が出来る。
【図面の簡単な説明】
【００１５】
【図１】鳥害防止具の側面図である。
【図２】鳥害防止具の方向性を図示したものである。
【図３】鳥害防止具の斜視図である。
【図４】照準器の詳細図である。
【図５】本発明における鳥害防止具の取り付け作業の側面図である。
【図６】従来品における鳥害防止具の取り付け作業の側面図である。
【図７】照準器を使用した場合の断面図である。
【図８】作業者目線から見た、照準器を使用した鳥害防止具の角度調整手順である。
【図９】作業者目線から見た、鳥害防止具が、ナット部を軸に回転し、正規でない角度で取り付いた場合の照準器の見え方。
【図１０】貫通孔を段付き形状にした場合の、照準器の見え方である。
【図１１】貫通孔をスリット状にした場合の、照準器の見え方である。
【発明を実施するための形態】
【００１６】以下、本発明の実施の形態を図面に基づいて説明する。以下の好ましい実施形態の説明は例示に過ぎず、本発明、その適用物あるいはその用途を制限することを意図するものではない。なお、以下において作業者手前側及び作業者奥側とは、図２に示す通りとする。
【００１７】本実施形態による鳥害防止具１７は、図１に示すように、受け部５と、蓋部１３と、蓋部１３を回動させるための軸部１１と、蓋部１３を閉じた状態で保持させるための係合部１２と、電線１を押圧して固定する為の締付部６と、ナット部７から構成された電線取付部２と、ワイヤー保持部１０と、第一照準器８と、第二照準器９と、から構成された離隔部４で構成されている。
【００１８】電線取付部２はコの字形状をしており、電線１を電線取付部空間３に収める事ができる。電線１を電線取付部空間３に収めた後は蓋部１３を閉じ、係合部１２でロックさせる事で、電線１が意図せず落下することを防止する構造となっている。その後、ナット部７の回動により締め付け部を受け部５側に上昇させ、電線１を受け部５に押圧させることで固定され、当該鳥害防止具の取り付けが完了する。前記ナット部７は離隔部４を基準に、作業者手前側に２０度から４０度程度傾斜して設けられているので、３本の電線１８、１９、２０が垂直に並ぶ配線で、さらに、そのうち上段線１８や中段線１９へ鳥害防止具を取り付ける場合においても、間接活線工具が真下の電線に接触してしまう恐れがなく、安全に取り付け作業ができる。
【００１９】離隔部４は、電線取付部２から突出して設けられており、電線１と略平行にワイヤーを架設するためのワイヤー保持部１０が備えられており、離隔部４先端部には、第一照準器８と、第二照準器９で構成されている。（図４）前述の様に、ナット部７は離隔部４を基準に、作業者手前側に２０度から４０度程度傾斜して設けられているため、作業者は斜め下から間接活線工具２１を用いて取り付けを行うこととなる。この時、作業者１５は鳥害防止具１７を正面に捉えて作業を行うが、離隔部４が垂直に立てられているかどうかを確認する為には、バケット車作業台２２から身を乗り出すか、バケット車作業台２２を鳥害防止具の真横付近に移動する必要がある。どちらの行為も電線に接近することとなり、危険な作業となる。
【００２０】そこで、離隔部４先端部には、作業者手前側に設けられた第一照準器８と、それより約１０ｍｍ作業者奥側に設けられた第二照準器９が備えられている。第一照準器８は第二照準器９より１５ｍｍ程度低い位置に設けられ、作業者１５は２つの形状を視覚的に重ね合わせることで、斜め下からの取り付けであっても離隔部４を垂直に立てることができる。（図５）つまり、前記照準器８、９を用いて取り付けを行う事により、作業者１５は鳥害防止具１７を正面に捉えたまま取り付けを行っても、離隔部４を垂直に取り付けが出来るのである。
【００２１】さらに本実施形態によれば、第二照準器９には貫通孔１４が設けられたので、第一照準器８先端で、第一照準器８と貫通孔１４の隙間から漏れる太陽光を徐々に覆っていき、第一照準器８先端と貫通孔１４先端が一致した角度（作業者視線１６）で締め付けを行えば、逆光で２つの照準器が見え辛い状態であっても、照準器の重なり具合を、光の漏れ具合で確認出来、離隔部１４を垂直に立てることができる。（図７）（図８）ここで、上記の先端同士が一致する角度（作業者視線１６）は、作業者１５の伸長が１７４ｃｍであった場合、離隔部４を基準に５０度程度の傾きが適正とされる。
【００２２】貫通孔１４を、第一照準器８と略同一な形状としたことで、鳥害防止具取り付け時に、ナット部を軸に回転ズレした状態で取り付けると、孔形状が崩れてしまう。特に貫通孔１４、第一照準器８とともに、左右対称の形状とすれば、孔形状は（図９）の様に片側の孔が強調されて見える事となる。正確に取り付いた場合は、（図８）の様に左右対称に孔形状が見える事となる。
【００２３】ここで、貫通孔１４先端と第一照準器８先端を結ぶ作業者視線１６は、離隔部４に対して一定の角度となるため、作業者の視線位置１６が極端にずれると、作業者１５はそのずれた視線位置１６で間接活線工具２１を操作するので、その結果、離隔部４が垂直にならない恐れがある。例えば、バケット車作業台内２２の作業者１５の位置や、作業者１５の伸長の違いによる取付作業のバラツキによって、作業者視線１６の角度が適正な位置とならず、その結果、離隔部４が垂直にならない。そこで、目盛り機能を有した貫通孔を設けることにより、離隔部４の角度を適宜選択することが出来、さらに複数の鳥害防止具を取り付ける場合は、同じ目盛りで取り付ける事で、複数の鳥害防止具の角度のバラツキを軽減する事が出来る。詳しくは、貫通孔には段付き形状２５もしくは、スリット状２６の目盛りを設けられ、目盛りは１個でも良いし、複数あっても良い。ただし、貫通孔の間隔は、取付角度の調整時に太陽光が貫通孔から確認できる程度の幅が良いとされ、本実施形態によれば、貫通孔の間隔は２ｍｍから３ｍｍ程度が良いとされる。
【００２４】本発明の鳥害防止具は、特許請求の範囲内であれば、適宜変更することができる。例えば、照準器の位置は、上記実施形態では離隔部先端に第一照準器と第二照準器が備えられているが、第一照準器が第二照準器より位置が低い構成であれば、設置個所を限定するものではない。
【符号の説明】
【００２５】１      電線
２      電線取付部
３      電線取付部空間
４      離隔部
５      受け部
６      締付部
７      ナット部
８      第一照準器
９      第二照準器
１０    ワイヤー保持部
１１    軸部
１２    係合部
１３    蓋部
１４    貫通孔
１５    作業者
１６    作業者視線
１７    本発明の鳥害防止具
１８    電線（最上段）
１９    電線（中段）
２０    電線（最下段）
２１    間接活線工具
２２    バケット車作業台
２３    従来の鳥害防止具
２４    従来の作業者視線
２５    貫通孔（段付き）
２６    貫通孔（スリット）
【図１】
2020058210.tif 000003
【図２】
2020058210.tif 000004
【図３】
2020058210.tif 000005
【図４】
2020058210.tif 000006
【図５】
2020058210.tif 000007
【図６】
2020058210.tif 000008
【図７】
2020058210.tif 000009
【図８】
2020058210.tif 000010
【図９】
2020058210.tif 000011
【図１０】
2020058210.tif 000012
【図１１】
2020058210.tif 000013